(57)【要約】【課題】ホストコンピュータから送信される帳票ファイルを仕分けして特定のフォルダ（宛先）に保存することができるようにする。【解決手段】前記帳票ファイルを受信する受信手段と、前記受信手段により受信される前記帳票ファイルからヘッダ情報を取得するヘッダ情報取得手段と、前記ヘッダ情報に含まれるデータをキーとして、データベースから前記帳票ファイルの属性にかかる属性レコードを特定する特定手段と、前記特定手段により特定された属性レコードに含まれるデータから仕分ヘッダ情報を生成する仕分ヘッダ情報生成手段と、前記仕分ヘッダ情報生成手段により生成された仕分ヘッダ情報と、前記帳票ファイルに含まれるテキストデータを結合して登録帳票データを生成する登録帳票データ生成手段と、前記登録帳票データ生成手段により生成された前記登録帳票データの仕分処理を行う仕分処理手段と、を有する。【選択図】図３
2007179336.tif 000002
【特許請求の範囲】
【請求項１】
ホストコンピュータから送信される帳票ファイルを仕分けして登録する帳票仕分装置であって、
前記帳票ファイルを受信する受信手段と、
前記受信手段により受信される前記帳票ファイルからヘッダ情報を取得するヘッダ情報取得手段と、
前記ヘッダ情報に含まれるデータをキーとして、データベースから前記帳票ファイルの属性にかかる属性レコードを特定する特定手段と、
前記特定手段により特定された属性レコードに含まれるデータから仕分ヘッダ情報を生成する仕分ヘッダ情報生成手段と、
前記仕分ヘッダ情報生成手段により生成された仕分ヘッダ情報と、前記帳票ファイルに含まれるテキストデータを結合して登録帳票データを生成する登録帳票データ生成手段と、
前記登録帳票データ生成手段により生成された前記登録帳票データの仕分処理を行う仕分処理手段と、
を有することを特徴とする帳票仕分装置。
【請求項２】
前記仕分ヘッダ情報生成手段により、１の前記帳票ファイルから複数の前記仕分ヘッダ情報が生成された場合、前記登録帳票データ生成手段は、生成された前記仕分ヘッダ情報それぞれに、前記帳票ファイルに含まれるテキストデータを結合して前記登録帳票データを生成することを特徴とする請求項１に記載の帳票仕分装置。
【請求項３】
前記仕分手段は、前記登録帳票データを帳票データに変換して、該変換した帳票データを登録することを特徴とする請求項１又は２に記載の帳票仕分装置。
【請求項４】
ホストコンピュータから送信される帳票ファイルを仕分けして登録する帳票仕分ステップであって、
前記帳票ファイルを受信する受信ステップと、
前記受信ステップにより受信される前記帳票ファイルからヘッダ情報を取得するヘッダ情報取得ステップと、
前記ヘッダ情報に含まれるデータをキーとして、データベースから前記帳票ファイルの属性にかかる属性レコードを特定する特定ステップと、
前記特定ステップにより特定された属性レコードに含まれるデータから仕分ヘッダ情報を生成する仕分ヘッダ情報生成ステップと、
前記仕分ヘッダ情報生成ステップにより生成された仕分ヘッダ情報と、前記帳票ファイルに含まれるテキストデータを結合して登録帳票データを生成する登録帳票データ生成ステップと、
前記登録帳票データ生成ステップにより生成された前記登録帳票データに基づいて仕分処理を行う仕分処理ステップと、
を有することを特徴とする帳票仕分方法。
【請求項５】
請求項４に記載の帳票仕分方法をコンピュータに実行させることを特徴とするプログラム。
【請求項６】
請求項５に記載のプログラムをコンピュータに読み取り可能に記憶したことを特徴とするコンピュータ読み取り可能な記録媒体。
【発明の詳細な説明】
【技術分野】
【０００１】
本発明は、帳票仕分装置、帳票仕分方法、プログラム及び記録媒体に関するものである。
【背景技術】
【０００２】
企業内で各部門に配布する帳票類を削減するための電子帳票システムが広く普及してきている。この電子帳票システムは、ホストコンピュータから送信される多数の帳票ファイルをパソコンなどの端末画面上に表示して見えるような形式で保存することで、帳票の印刷コスト・配布コストの削減を図るものである。ホストコンピュータから送信される帳票ファイルが一旦特定のフォルダ（宛先）に保存されれば、利用者は、その帳票ファイル（電子帳票）を何度でも参照することができる。
【０００３】
ところで、図１２に示すような業務（Ａ社から取引先に帳票を手作業で配送する業務）のコスト削減等を図る目的で電子帳票システムを導入する場合、電子帳票システムの利用者は複数の会社に渡るため、管理負荷分散やセキュリティ上の観点から、それぞれの会社についてのユーザ管理や帳票管理はそれぞれの会社の管理者に行わせることになる。また、それぞれの会社の中でも複数の部店を有する場合には、図１３に示すようにそれぞれの会社の中で更に部門管理者を設けることになる。
【０００４】
このような運用形態をとった場合、一般利用者は、会社管理者又は部門管理者にアクセス権限が付与され、会社管理者又は部門管理者によって管理されている所定のフォルダに保存されている電子帳票を参照することができる。
【０００５】
ただし、現状では、利用者が電子帳票を参照するためには、参照しようとしている電子帳票が保存されているフォルダを探す手間がかかってしまう。また、自分が参照すべき電子帳票が分からない場合には、そもそもどの電子帳票を探してよいか分からないという問題がある。
【０００６】
従って、所属している部店に関係する電子帳票だけ参照できれば、その部店の利用者にとって参照すべき電子帳票が容易に分かり、且つ探す手間が省けることになる。
【０００７】
そこで、ホストコンピュータから帳票ファイルを部店単位のフォルダに仕分けして送信することができれば、部店に関係する電子帳票の参照が容易となる。
一つの方法として、ホストコンピュータから同一帳票ファイルを部店単位で複数送信する方法が考えられる。
【０００８】
しかし、この方法を実現するためには、ホストコンピュータから同じ帳票ファイルを複数配布するためのプログラム変更が必要となってしまう。また、実現したとしても、（１）帳票ファイルを複数回送信することによってホストコンピュータの処理負荷が増大するという問題と、（２）帳票ファイルの送信容量の増加によってネットワーク負荷も増大するという問題がある。
【０００９】
特許文献１には、電子帳票システムにおけるユーザの操作性を向上させる技術が開示されている。
【００１０】
【特許文献１】特開２００２−１０９４５６号公報
【発明の開示】
【発明が解決しようとする課題】
【００１１】
しかしながら、特許文献１に開示の技術は、電子帳票を選択するとき、帳票一覧画面を表示し、ユーザが所轄する電子帳票に対応したグループに関する電子帳票のみを選択させるようにすることはできるが、各部店で参照すべき帳票一覧画面を表示することはできない。従って、ホストコンピュータから同一帳票ファイルを部店単位で複数送信することなく、各部店で参照すべき帳票一覧画面を表示する方法が必要になる。
【００１２】
本発明は上記課題と解決するものであり、ホストコンピュータから送信される帳票ファイルを仕分けして特定のフォルダ（宛先）に保存することができるようにすることを目的とする。
【課題を解決するための手段】
【００１３】
本発明の帳票仕分装置は、ホストコンピュータから送信される帳票ファイルを仕分けして登録する帳票仕分装置であって、前記帳票ファイルを受信する受信手段と、前記受信手段により受信される前記帳票ファイルからヘッダ情報を取得するヘッダ情報取得手段と、前記ヘッダ情報に含まれるデータをキーとして、データベースから前記帳票ファイルの属性にかかる属性レコードを特定する特定手段と、前記特定手段により特定された属性レコードに含まれるデータから仕分ヘッダ情報を生成する仕分ヘッダ情報生成手段と、前記仕分ヘッダ情報生成手段により生成された仕分ヘッダ情報と、前記帳票ファイルに含まれるテキストデータを結合して登録帳票データを生成する登録帳票データ生成手段と、前記登録帳票データ生成手段により生成された前記登録帳票データの仕分処理を行う仕分処理手段と、を有する。
【発明の効果】
【００１４】
本発明によれば、ホストコンピュータから送信される帳票ファイルを仕分けして特定のフォルダ（宛先）に保存することができるようにすることができる。
【発明を実施するための最良の形態】
【００１５】
以下、本発明の実施形態について図面に基づいて説明する。
【００１６】
図１は、電子帳票システムの構成の一例を示す図である。図１に示されるように電子帳票システムは、ホストコンピュータ１０１、電子帳票サーバ１０２、クライアント端末１０３（管理者）、クライアント端末１０４（一般利用者）が、ネットワーク１０５を介して接続されている。ネットワーク１０５は、例えば、インターネット、ＬＡＮ、公衆回線等である。
【００１７】
電子帳票サーバ１０２は、ホストコンピュータ１０１から送信される帳票ファイルを、クライアント端末から参照、検索等することが可能な形式に変換して保存する（保存したデータは、帳票データまたは電子帳票とよばれる。）。管理者は、クライアント端末１０３を操作して、一般利用者の管理や帳票データの管理を行う。一般利用者は、クライアント端末１０４を操作して、目的の帳票データの参照や検索を行ったりすることができる。
【００１８】
図２は、電子帳票サーバ１０２のハードウェア構成の一例を示す図である。
【００１９】
図２において、ＣＰＵ２０１は、システムバス２０４に接続される各デバイスを統括的に制御する。また、ＲＯＭ２０３或いは外部メモリ２１１には、ＣＰＵ２０１の制御プログラムであるオペレーティングシステム（ＯＳ）や、電子帳票サーバ１０２（図２がクライアント端末のハードウェア構成とすると各クライアント端末）の後述する各種機能を実現するためのプログラムが記憶されている。
【００２０】
ＲＡＭ２０２は、ＣＰＵ２０１の主メモリ、ワークエリア、一時待避領域等として機能する。入力コントローラ２０５は、入力部２０９からの入力を制御する。この入力部２０９としては、特に、サーバやクライアント等の端末では、キーボード、マウス等のポインティングデバイスが挙げられる。また、印刷装置等では、タッチパネル、ボタン、スイッチ等が挙げられる。
【００２１】
表示コントローラ２０６は、表示部２１０の表示を制御する。この表示部２１０としては、例えば、ＣＲＴや液晶等が挙げられる。外部メモリコントローラ（ＭＣ）２０７は、ブートプログラム、各種のアプリケーション、フォントデータ、ユーザファイル、編集ファイル、プリンタドライバ等を記憶する外部メモリ２１１へのアクセスを制御する。なお、外部メモリ２１１には、電子帳票サーバ１０２（図２がクライアント端末のハードウェア構成とすると各クライアント端末）の各種機能を実現するための各種テーブル、パラメータ等も記憶されている。この外部メモリ２１１としては、ハードディスク（ＨＤ）やフロッピー（登録商標）ディスク（ＦＤ）、ＰＣＭＣＩＡカードスロットにアダプタを介して接続されるコンパクトフラッシュ（登録商標）、スマートメディア等が挙げられる。
【００２２】
通信Ｉ／Ｆコントローラ２０８は、ネットワーク１０５を介して外部機器との通信制御処理を実行する。本実施形態に係るプログラムは外部メモリ２１１に記憶されており、必要に応じてＲＡＭ２０２にロードされることによりＣＰＵ２０１によって実行される。更に、プログラムが用いる電子帳票宛先変換テーブル、帳票マスタテーブル、会社テーブル、業績テーブルも外部メモリ２１１に格納されている。なお、電子帳票宛先変換テーブル、帳票マスタテーブル、会社テーブル、業績テーブルについての詳細な説明は後述する。
【００２３】
クライアント端末１０３、１０４のハードウェア構成も基本的に電子帳票サーバ１０２と同様である。しかしながら、クライアント１０３、１０４の外部メモリに記憶されているプログラムは、例えば登録された帳票データを出力する等のクライアントモジュールであり、電子帳票サーバ１０２のプログラムとは異なる。
【００２４】
帳票データは、帳票の表示用データを表すものであって、単独又は複数のファイルによって構成され、単数又は複数のページを含有している。電子帳票サーバ１０２は、複数の帳票データのうち同一種類の帳票データをグループ化して管理しており、それぞれの帳票データはそのグループの中の世代と呼ばれる。
【００２５】
図３は、本発明の実施の形態にかかる電子帳票サーバにおける仕分け処理の概要を示すブロック図である。
【００２６】
ホストコンピュータ１０１は、毎月、毎日等定期的に帳票ファイル３１を送信する。
【００２７】
電子帳票サーバ１０２の帳票ファイル受信検出部３０２は、ホストコンピュータ１０１から送信された帳票ファイル３１を受信したことを検出する。電子帳票サーバ１０２の登録帳票データ生成部３０３は、帳票ファイル受信検出部３０３で受信を検出した帳票ファイル３１内に含まれるデータと、電子帳票宛先テーブル３０４、帳票マスタテーブル３０５、会社テーブル３０６、業務テーブル３０７から登録帳票データを生成する。帳票ファイル受信検出部および登録帳票データ生成部は、制御部３０１（ＣＰＵ２０１）によって制御される。
【００２８】
なお、帳票ファイル３１は、ホストコンピュータで生成されるデータである。登録帳票データ３２は、一般利用者が操作するクライアント端末から参照や検索等することができる帳票データとして外部メモリ２１１等に保存するために必要な諸情報を含むデータであり、このデータに従って帳票データが特定のフォルダ（宛先）に保存される。帳票ファイル３１と登録帳票データ３２のデータフォーマットについての説明は、図４を用いて後述する。
【００２９】
また、電子帳票宛先テーブル３０４は、帳票データを登録する宛先を管理するテーブルである。帳票マスタテーブル３０５は、帳票の属性を管理するテーブルである。会社テーブル３０６は、会社の情報を管理するテーブルである。業務テーブル３０７は、業務（帳票の種類）の情報を管理するテーブルである。それぞれのテーブルは、外部メモリ２１１等に記憶されており、それぞれのテーブルのデータ構造については、図５〜図８に示す。
【００３０】
最後に、電子帳票サーバ１０２は、登録帳票データ３２に基づいて一または複数のフォルダ（宛先）に帳票データを保存する処理を行う。
【００３１】
このような処理がなされることにより、ホストコンピュータ１０１から送信される帳票ファイルを仕分けして一または複数のフォルダ（宛先）に保存することができる。なお、仕分け処理の流れについて詳細な説明は図９を用いて後述する。
【００３２】
図４は、帳票ファイル３１および登録帳票データ３２のそれぞれのデータフォーマットを示す図である。
【００３３】
登録帳票データ生成部３０３において、ヘッダ情報４０１が抽出され、ヘッダ情報内に含まれる情報と、電子帳票宛先テーブル３０４、帳票マスタテーブル３０５、会社テーブル３０６、業務テーブル３０７から仕分ヘッダ情報４０２が生成される。なお、帳票ファイル３１のテキストデータ４０３と登録帳票データ３２のテキストデータ４０４は、同じデータである。
【００３４】
図５は、電子帳票宛先テーブル３０４のデータフォーマットを示す図である。
【００３５】
電子帳票宛先テーブル３０４は、項目１〜４の組み合わせからなるレコードを複数管理している。
【００３６】
図６は、帳票マスタテーブル３０５のデータフォーマットを示す図である。
【００３７】
項目１〜１１の組み合わせからなるレコードを複数管理している。
【００３８】
図７は、会社テーブル３０６のデータフォーマットを示す図である。
【００３９】
項目１〜７の組み合わせからなるレコードを複数管理している。
【００４０】
図8は、業務テーブル307のデータフォーマットを示す図である。
【００４１】
項目１〜６の組み合わせからなるレコードを複数管理している。
【００４２】
図９は、本発明の実施の形態にかかる電子帳票サーバにおける仕分け処理の概要を示すフローチャートである。
【００４３】
ステップＳ９０１において、ホストコンピュータ１０１は、帳票ファイル３１を作成する。
【００４４】
ステップＳ９０２において、ホストコンピュータは、ステップＳ９０１において作成した帳票ファイル３１を電子帳票サーバ１０２へ送信する。
【００４５】
ステップＳ９０３において、電子帳票サーバ１０２は、ステップＳ９０２においてホストコンピュータ１０１から送信された帳票ファイル３１を受信する。
【００４６】
ステップＳ９０４において、電子帳票サーバ１０２は、外部メモリ２１１等に記憶されている登録帳票データ生成プログラムを起動する。登録帳票データ生成プログラムは、ホストコンピュータ１０１から送信される帳票ファイル３１から登録帳票データ３２を生成するためのプログラムである。
【００４７】
ステップＳ９０５において、電子帳票サーバ１０２は、帳票ファイル３１に含まれるヘッダ情報４０１を抽出し、ヘッダ情報４０１内の「宛先コード」および「出力番号」を取得して外部メモリ２１１等に一時的に保存する。
【００４８】
ステップＳ９０６において、電子帳票サーバ１０２は、ステップＳ９０５において取得した「宛先コード」および「出力番号」をキーとして電子帳票宛先変換テーブル３０４を検索する。
【００４９】
ステップＳ９０７において、電子帳票サーバ１０２は、電子帳票宛先変換テーブル３０４にキーとした「宛先コード」および「出力番号」が存在するか否かを判定する。「宛先コード」および「出力番号」が存在した場合には、ステップＳ９０８へ進む。一方、「宛先コード」および「出力番号」が存在しなかった場合には、登録するフォルダ（宛先）がないものであると判断し、エラー終了する。
【００５０】
ステップＳ９０８において、電子帳票サーバ１０２は、電子帳票宛先変換テーブル３０４に該当する「宛先コード」および「出力番号」が存在するか否かを判定する。「宛先コード」および「出力番号」が存在した場合には、ステップＳ９０９へ進み、「宛先コード」および「出力番号」が存在しなかった場合には、ステップＳ９０１３へ進む。なお、ステップＳ９０７において、「宛先コード」および「出力番号」が存在すると判定された直後は、必ずステップＳ９０９へ進むことになる。
【００５１】
ステップＳ９０９において、電子帳票サーバ１０２は、仕分ヘッダ情報４０２を生成する。具体的には、ヘッダ情報４０１の「宛先コード」および「出力番号」をキーとして電子帳票宛先テーブル３０４、帳票マスタテーブル３０５、会社テーブル３０６、業務テーブル３０７を検索して、該当するレコードから所定の情報を取得して仕分ヘッダ情報を生成する。この仕分ヘッダ情報によって登録されるフォルダ（宛先）が特定されテキストデータが帳票データに変換され外部メモリ２１１等に登録されることになる。
【００５２】
ステップＳ９０１０において、電子帳票サーバ１０２は、帳票ファイル３１に含まれるテキストデータ４０３を取得する。
【００５３】
ステップＳ９０１１において、電子帳票サーバ１０２は、ステップＳ９０１０で生成した仕分ヘッダ情報とステップＳ９０１１で取得したテキストデータ４０３を結合する処理を行う。結合してできたデータが登録帳票データ３２である。
【００５４】
ステップＳ９０１２において、電子帳票サーバ１０２は、更に「宛先コード」および「出力番号」をキーとして電子帳票宛先変換テーブル３０４を検索する。すなわち、電子帳票サーバ１０２は、ステップＳ９０８でヒットしたレコードの次レコードを検索してまだ該当する「宛先コード」および「出力番号」が電子帳票宛先変換テーブル３０４に存在するか否かを検索する。そして、ステップＳ９０８において、存在すると判定した場合には、ステップＳ９０９〜ステップＳ９０１１の処理を繰り返す。ステップＳ９０８において、存在しないと判定した場合には、ステップＳ９０１３へ進む。
【００５５】
ステップＳ９０１３において、電子帳票サーバ１０２は、次の帳票ファイル３１が存在するか否かを判定する。帳票ファイル３１が存在すると判定した場合には、ステップＳ９０７へ進み、帳票ファイル３１が存在しないと判定した場合には、ステップＳ９０１４へ進む。すなわち、ホストコンピュータ１０１から複数の帳票ファイル３１を受信した場合には、各帳票ファイル３１についてステップＳ９０７〜ステップＳ９０２１の処理が繰り返されることになる。
【００５６】
ステップＳ９０１４において、電子帳票サーバ１０２は、生成した登録帳票データ３２に含まれる仕分ヘッダ情報４０２に従って保存する一または複数のフォルダ（宛先）を特定し、登録帳票データ３２を一般利用者が操作するクライアント端末１０４から参照や検索等ができる帳票データ形式に変換して保存する処理を行う。
【００５７】
図１０および図１１は、本発明の実施形態にかかる仕分け処理の一例を示す図である。
【００５８】
電子帳票サーバ１０２が、ホストコンピュータ１０１から、出力番号「Ｍ１４０００」および宛先コード「ＡＺ００３０１」を含むヘッダ情報と、テキストデータ（Ｚ）から構成される帳票ファイル３１をした場合、電子帳票サーバ１０２は、ヘッダ情報から出力番号「Ｍ１４０００」および宛先コード「ＡＺ００３０１」を取得する。そして、これをキーとして電子帳票宛先変換テーブル３０４を検索する。
【００５９】
図１１の電子帳票宛先変換テーブル３０４に示すように、出力番号「Ｍ１４０００」および宛先コード「ＡＺ００３０１」でヒットするレコードが２つ存在する場合、更に帳票マスタテーブル３０５、会社テーブル３０６、業務テーブル３０７から所定の情報が抽出され、それぞれのレコードについて仕分ヘッダ情報が生成される。また、生成されたそれぞれの仕分ヘッダ情報に対し帳票ファイルからテキストデータ（Ｚ）を結合して登録帳票データ３２を生成する。本実施形態においては、図１０に示すような登録帳票データ３２が生成される。
【００６０】
そして、電子帳票サーバは、生成した登録帳票データ３２に含まれる仕分ヘッダ情報４０２に従って保存する一または複数のフォルダ（宛先）を特定し、登録帳票データ３２を一般利用者が操作するクライアント端末１０４から参照や検索等ができる帳票データ形式に変換して保存する処理を行うことになるが、本実施形態においては、それぞれの仕分ヘッダ情報に従って図１１に示すようなフォルダ（宛先）に保存する処理を行う。
【００６１】
以上、上述したように、本実施形態によれば、ホストコンピュータから送信される帳票ファイルを仕分けして特定のフォルダ（宛先）に保存することができるようにすることができる。
【００６２】
以上、本発明の好ましい実施形態について詳述したが、本発明は係る特定の実施形態に限定されるものではなく、特許請求の範囲に記載された本発明の要旨の範囲内において、種々の変形・変更が可能である。
【００６３】
前述した本発明の各実施形態による電子帳票システムを構成する図１の各装置、及び各装置を構成する図２の各手段、並びに電子帳票サーバの帳票仕分方法を示した図９の各ステップは、コンピュータのＲＡＭやＲＯＭなどに記憶されたプログラムが動作することによって実現できる。このプログラム及び当該プログラムを記録したコンピュータ読み取り可能な記録媒体は本発明に含まれる。
【００６４】
具体的に、前記プログラムは、例えばＣＤ−ＲＯＭのような記録媒体に記録し、あるいは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００６５】
また、コンピュータが供給されたプログラムを実行することにより前述した各実施形態の機能が実現されるだけでなく、そのプログラムがコンピュータにおいて稼働しているＯＳ（オペレーティングシステム）あるいは他のアプリケーションソフト等と共同して前述した各実施形態の機能が実現される場合や、供給されたプログラムの処理の全て、あるいは一部がコンピュータの機能拡張ボードや機能拡張ユニットにより行われて前述した各実施形態の機能が実現される場合も、かかるプログラムは本発明に含まれる。
【図面の簡単な説明】
【００６６】
【図１】電子帳票システムの構成の一例を示す図である。
【図２】電子帳票サーバ１０２のハードウェア構成の一例を示す図である。
【図３】本発明の実施の形態にかかる電子帳票サーバにおける仕分け処理の概要を示すブロック図である。
【図４】帳票ファイル３１および登録帳票データ３２のそれぞれのデータフォーマットを示す図である。
【図５】電子帳票宛先テーブル３０４のデータフォーマットを示す図である。
【図６】帳票マスタテーブル３０５のデータフォーマットを示す図である。
【図７】会社テーブル３０６のデータフォーマットを示す図である。
【図８】業務テーブル３０７のデータフォーマットを示す図である。
【図９】本発明の実施の形態にかかる電子帳票サーバにおける仕分け処理の概要を示すフローチャートである。
【図１０】本発明の実施形態にかかる仕分け処理の一例を示す図である。
【図１１】本発明の実施形態にかかる仕分け処理の一例を示す図である。
【図１２】帳票の手作業による配送業務を示す図である。
【図１３】電子帳票システムにおける階層的な管理者構成を示す図である。
【符号の説明】
【００６７】
１０１    ホストコンピュータ
１０２    電子帳票サーバ
１０３    クライアント端末（管理者）
１０４    クライアント端末（管理者）
１０５    ネットワーク
２０１    ＣＰＵ
２０２    ＲＡＭ
２０３    ＲＯＭ
２０４    システムバス
２０５    入力コントローラ
２０６    表示コントローラ
２０７    外部メモリコントローラ
２０８    通信Ｉ/Ｆコントローラ
２０９    入力部
２１０    表示部
２１１    外部メモリ
【図１】
2007179336.tif 000003
【図２】
2007179336.tif 000004
【図３】
2007179336.tif 000005
【図４】
2007179336.tif 000006
【図５】
2007179336.tif 000007
【図６】
2007179336.tif 000008
【図７】
2007179336.tif 000009
【図８】
2007179336.tif 000010
【図９】
2007179336.tif 000011
【図１０】
2007179336.tif 000012
【図１１】
2007179336.tif 000013
【図１２】
2007179336.tif 000014
【図１３】
2007179336.tif 000015